(57)【要約】【課題】現場の開口寸法に合わせて設置位置を可変調整する。【解決手段】パネル本体４の第２面部４１の幅方向両端部位に設けた左右の側方水密部材５、パネル本体４の下面４３に設けた下方水密部材６、パネル本体４の第２面部４１の幅方向両端に設けた固定手段８を備えた止水パネルは、固定手段８の掛止部８１を建物開口部両端の縦枠３の室内側角部に掛止させた状態で建物開口部の室外側下方部位に取り付けられる。第２面部４１には、可撓性長尺部８０のガイド部が設けてあり、可撓性長尺部８０はパネル本体４の幅方向に延びる第１部分８０Ａとガイド部と掛止部８１間で第２面部４１から離間する方向に延びる第２部分８０Ｂとからなり、ガイド部はパネル本体４の幅方向に位置調整可能に設けられており、第２部分８０Ｂの基端８００Ｂの位置が、パネル本体４の幅方向に調整可能である。【選択図】図１５
2018071116.tif 000002
【特許請求の範囲】
【請求項１】
第１面部と、第２面部と、上面と、下面と、左右の側面と、を備えたパネル本体と、
前記パネル本体の前記第２面部の幅方向両端部位に高さ方向に亘って設けた左右の側方水密部材と、前記下面に幅方向に亘って設けた下方水密部材と、
前記パネル本体の前記第２面部の幅方向両端にそれぞれ設けられ、可撓性長尺部と可撓性長尺部の一端側に掛止部を設けた固定手段と、
を備えた止水パネルの取付構造であって、
前記止水パネルは、前記掛止部を建物開口部両端の縦枠に掛止させ、前記側方水密部材を前記縦枠の室外側見付面に圧接した状態で、前記可撓性長尺部の張力によって建物開口部の室外側下方部位に取り付けられ、
前記パネル本体の前記第２面部には、前記側方水密部材の内側に近接して、前記可撓性長尺部の向きを変えるガイド部が設けてあり、
前記ガイド部は、前記パネル本体の幅方向に位置調整可能に設けられている、
止水パネルの取付構造。
【請求項２】
前記可撓性長尺部は、止水パネルの取付状態において、前記ガイド部によって、前記第２面部に沿ってパネル本体の幅方向に延びる第１部分と、前記第２面部から離間する方向に延びる第２部分と、に折り曲げられており、
建物開口部両端の縦枠の室内側見付面と見込面とで形成される角部に掛止された前記掛止部が先端に連結された前記第２部分の基端の位置が、前記ガイド部を前記パネル本体の幅方向に位置調整することで前記パネル本体の幅方向に調整可能となっている、
請求項１に記載の止水パネルの取付構造。
【請求項３】
前記第２面部には、横長の開口が形成されており、
前記開口を跨ぐようにガイドプレートが設けられており、
前記ガイド部は、前記ガイドプレートの側方水密部材に近い側に形成されており、
前記可撓性長尺部の前記第１部分は、前記ガイドプレートの裏側を通り、前記ガイド部に案内されて前記第２部分として引き出され、
前記ガイドプレートはパネル本体の幅方向に位置調整可能に設けられている、
請求項１、２いずれか１項に記載の止水パネルの取付構造。
【請求項４】
前記横長の開口の上下に位置してパネル本体の幅方向に延びる上下の垂直片が形成されており、
前記ガイドプレートを前記上下の垂直片の後面に位置させ、取付プレートを前記上下の垂直片の前面に位置させ、前記ガイドプレートと前記取付プレートで前記上下の垂直片を前後で挟んだ状態で、前記取付プレートと前記ガイドプレートを螺子で固定してなり、
前記螺子を緩めることで、前記ガイドプレートがパネル本体の幅方向に移動可能となっている、
請求項３に記載の止水パネルの取付構造。
【発明の詳細な説明】
【技術分野】
【０００１】
本発明は、止水パネルの取付構造に係り、詳しくは、建物開口部の下方部位に取り付けて防水構造を構成する止水パネルの取付構造に関するものである。
【背景技術】
【０００２】
建物開口部を開閉する扉装置は、室内への雨水の浸入を防止する機能を備えているが、台風等による集中豪雨や局所的な豪雨（いわゆるゲリラ豪雨）が発生した場合の増水時には、建物開口部と、閉鎖姿勢の扉体と、の隙間から建物内への浸水のおそれがある。
【０００３】
本出願人は、建物開口部の下方部位に取り付けて防水構造を構成する止水パネルを提案している（特許文献１）。このものでは、既設開口寸法を実測してパネルを用意することで既設の建物開口部に対応する止水パネルを提供するものであるが、実測寸法に誤差が生じている場合には、現場設置時に適切な止水パネルの取り付けができないおそれがある。特に、止水パネルは、掛止部を建物開口部両側の縦枠に掛止させることで取り付けられることから、適切な掛止状態が得られない場合には、十分な防水性能が得られないおそれがあり、極端な場合には用意した止水パネルを交換する必要がある。
【特許文献１】特開２０１６−２８１８２号
【発明の開示】
【発明が解決しようとする課題】
【０００４】
本発明は、現場の開口寸法に合わせて設置位置を可変調整することができる止水パネルの取付構造を提供することを目的とする。
【課題を解決するための手段】
【０００５】
本発明が採用した技術手段は、
第１面部と、第２面部と、上面と、下面と、左右の側面と、を備えたパネル本体と、
前記パネル本体の前記第２面部の幅方向両端部位に高さ方向に亘って設けた左右の側方水密部材と、前記下面に幅方向に亘って設けた下方水密部材と、
前記パネル本体の前記第２面部の幅方向両端にそれぞれ設けられ、可撓性長尺部と可撓性長尺部の一端側に掛止部を設けた固定手段と、
を備えた止水パネルの取付構造であって、
前記止水パネルは、前記掛止部を建物開口部両端の縦枠に掛止させ、前記側方水密部材を前記縦枠の室外側見付面に圧接した状態で、前記可撓性長尺部の張力によって建物開口部の室外側下方部位に取り付けられ、
前記パネル本体の前記第２面部には、前記側方水密部材の内側に近接して、前記可撓性長尺部の向きを変えるガイド部が設けてあり、
前記ガイド部は、前記パネル本体の幅方向に位置調整可能に設けられている、
止水パネルの取付構造、である。
１つの態様では、前記可撓性長尺部は、止水パネルの取付状態において、前記ガイド部によって、前記第２面部に沿ってパネル本体の幅方向に延びる第１部分と、前記第２面部から離間する方向に延びる第２部分と、に折り曲げられており、
建物開口部両端の縦枠の室内側見付面と見込面とで形成される角部に掛止された前記掛止部が先端に連結された前記第２部分の基端の位置（引き出し位置）が、前記ガイド部を前記パネル本体の幅方向に位置調整することで前記パネル本体の幅方向に調整可能となっている。
１つの態様では、前記固定手段は、可撓性長尺部と、可撓性長尺部の一端側の掛止部と、可撓性長尺部の他端側の締め具と、からなり、
前記止水パネルは、前記掛止部を建物開口部両端の縦枠の室内側見付面と見込面とで形成される室内側角部に掛止させ、前記下方水密部材を前記床面に圧接し、前記側方水密部材を前記縦枠の室外側見付面に圧接した状態で、締め具によって建物開口部の室外側下方部位に取り付けられ、
前記可撓性長尺部は、前記締め具と前記ガイド部間で前記第２面部に沿ってパネル本体の幅方向に延びる第１部分と、前記ガイド部と前記縦枠に掛止された前記掛止部間で前記第２面部から離間する方向に延びる第２部分と、からなる。
【０００６】
１つの態様では、前記第２面部には、横長の開口が形成されており、
前記開口を跨ぐようにガイドプレートが設けられており、
前記ガイド部は、前記ガイドプレートの側方水密部材に近い側（締め具を備える場合には、当該締め具から離間した側）に形成されており、
前記可撓性長尺部の前記第１部分は、前記ガイドプレートの裏側を通り、前記ガイド部に案内されて前記第２部分として引き出され、
前記ガイドプレートはパネル本体の幅方向に位置調整可能に設けられている。
【０００７】
１つの態様では、前記横長の開口の上下に位置してパネル本体の幅方向に延びる上下の垂直片が形成されており、
前記ガイドプレートを前記上下の垂直片の後面に位置させ、取付プレートを前記上下の垂直片の前面に位置させ、前記ガイドプレートと前記取付プレートで前記上下の垂直片を前後で挟んだ状態で、前記取付プレートと前記ガイドプレートを螺子で固定してなり、
前記螺子を緩めることで、前記ガイドプレートがパネル本体の幅方向に移動可能となっている。
１つの態様では、前記ガイドプレートには前記螺子の螺子孔が形成されており、前記取付プレートには螺子の挿通孔が形成されており、前記螺子は上側垂直片の下方かつ下側垂直片の上方に位置して設けてある。
【０００８】
１つの態様では、前記ガイドプレートは、螺子を用いて上下の垂直片に固定されており、前記ガイドプレートあるいは／および前記上下の垂直片に横長孔を形成することで、前記横長孔の範囲で前記ガイドプレートの取付位置がパネル本体の幅方向に位置調整可能となっている。
【発明の効果】
【０００９】
本発明では、現場において、固定手段の可撓性長尺部の第２部分の引き出し位置を可変調整できるようにしたので、止水パネルを設置する建物開口部の実測誤り等に対して、実際の開口寸法に合わせて設置位置を現場で可変調整することができる。また、建物開口部の実測誤りに限らず、現場の建物開口部の開口寸法状況に応じて、良好な防水性能を発揮するように、固定手段による止水パネルの設置位置を調整することができる。
【図面の簡単な説明】
【００１０】
【図１】建物開口部の室外側の下方部位に取り付けられた止水パネルを示す正面図である。
【図２】建物開口部の室外側の下方部位に取り付けられた止水パネルを示す側面図である。
【図３】（Ａ）は、建物開口部の室外側の下方部位に取り付けられた止水パネルを示す平面図である。（Ｂ）は、建物開口部の室外側の下方部位に止水パネルを取り付ける前段階（固定具によりパネル本体を固定する前）を示す平面図である。
【図４】本実施形態に係る止水パネルの正面図（室内側面部）である。正面図において、固定手段の掛止部は省略されている。
【図５】図４の部分拡大図である。
【図６】図５に対応する平面図である。
【図７】止水パネルの固定手段を示す図である。
【図８】（Ａ）は、止水パネルの側面図である。（Ｂ）は、図８（Ａ）において固定具を除いた図である。（Ｃ）は、側方水密部材が設けた部位における縦断面図である。（Ｄ）は、ガイドプレート及び取付プレートが設けた部位における縦断面図である。図８における下方の水平線は実際の床面ではなく、止水パネルが下方に押し込まれた時の仮想床面を示している。
【図９】パネル本体を構成するパネルの側面図である。
【図１０】図９において、固定手段のベルトが引き出された状態を示す図である。
【図１１】ガイドプレートを示す図である。
【図１２】取付プレートを示す図である。
【図１３】（Ａ）、（Ｂ）は、それぞれガイドプレートの他の取付態様を示す図である。
【図１４】（Ａ）は、パネル本体が垂直方向に下方に押圧された状態（下方水密部材の圧縮）を示す側面図である。（Ｂ）は、パネル本体が垂直方向に下方に押圧される前の状態を示す側面図である。
【図１５】建物開口部左右端部の縦枠に取り付けられた止水パネルを示す部分平面図であり、側方水密部材は圧縮状態にある。
【図１６】建物開口部左右端部の縦枠に取り付けられた止水パネルを示す部分平面図であり、側方水密部材は圧縮状態にある。ベルトの第２部分の基端（ガイド部）が、掛止部よりも内側に位置している。
【発明を実施するための形態】
【００１１】
本発明の実施形態を図面に基づいて説明する。図１は本実施形態に係る止水パネルが設置された建物開口部の正面図である。図示の態様では、止水パネルは、２枚のスライド扉体１からなる自動ドアによって開閉される建物開口部の下方部位の室外側に設置される。建物開口部は、左右の壁ないし固定パネル２の端部に設けた左右の縦枠（方立て）３間に形成されている（図３（Ｂ）参照）。縦枠３は、断面視方形状を有しており、室外側の第１見付面３０、室内側の第２見付面３１、建物開口部に面する第１見込面３２、第１見込面３２と反対側の第２見込面３３を備えている（図１４、図１５参照）。
【００１２】
図１、図３、図４に示すように、止水パネルは、開口幅方向に横長の長方形のパネル本体４を備えている。パネル本体４は、建物開口部に設置した時に室外側に面する第１面部４０と、第１面部４０の反対側の第２面部４１と、上面４２と、下面４３と、左右の側面４４と、を備えており、第２面部４１を室内側に向けて、建物開口部の下方部位の室外側に取り付けられる。パネルの側面４４は密閉されている。パネル本体４の上面４２には取手４５が設けてある。本明細書において、パネル本体４の幅方向とは、左右方向、すなわち横幅方向を意味する。幅方向外側は、パネル本体４の左右の端部に近い側を意味し、幅方向内側は、パネル本体４の幅方向中央に近い側を意味する。
【００１３】
止水パネルは、さらに、パネル本体４の第２面部４１の幅方向両端部位に設けた左右の側方水密部材５と、パネル本体４の下面４３に設けた下方水密部材６と、左右の側方水密部材５にそれぞれ隣接してパネル本体４の第２面部４１に設けた左右の当接部材７と、パネル本体４の第２面部４１の幅方向両端にそれぞれ設けた固定手段８と、パネル本体４の第２面部４１の幅方向両端にそれぞれ設けた垂直押し込み量判定手段９と、を備えている。
【００１４】
図７に示すように、固定手段８は、帯状のベルト８０と、ベルト８０の第１端部８００に設けた掛止部８１と、ベルト８０の第２端部８０１に設けた締め具８２と、からなる。止水パネルは、下方水密部材６を床面ＦＬに圧接し、固定手段８の掛止部８１を建物開口部両端の縦枠３の室内側角部に掛止させた状態で、固定手段８の締め具８２によってベルト８０を引張することで、下方水密部材６を床面ＦＬに圧接させ、かつ、側方水密部材５を縦枠３の第１見付面３０に圧接した状態で、建物開口部の室外側下方部位に取り付けられる。固定手段８の締め具８２を締めた後で、さらに、パネル本体４を上から下方向に押し付けて下方水密部材６を床面ＦＬに圧接することで、良好な水密性能が得られる。
【００１５】
開口部全閉時（図３（Ａ）参照）において、扉体１の戸尻側縦框１ａと縦枠３との間には隙間が存在しており、また、開口部全開時（図３（Ｂ）参照）において、扉体１の戸先側縦枠１ｂと縦枠３との間には隙間が存在しており、この隙間を利用して固定手段８の掛止部８１を縦枠３の室内側角部に掛止させることができ、また、止水パネルを取り付けた状態において、掛止状態にある掛止部８１が妨げとなることなく、扉体１の開閉が可能であり、建物開口部を開放して止水パネルを跨いで出入りすることができる。なお、止水パネルの設置対象は、スライド式のドアに限定されるものではなく、２枚の扉体からなる両開きドアによって開閉される建物開口部の下方部位の室外側に設置されてもよい。この場合、側方水密部材５、当接部材７を、パネル本体４の第２面部４１に固定したスペーサ（特許文献１参照）に設けてもよい。
【００１６】
パネル本体４の幅寸法は、止水パネルが設置される開口幅寸法（左右の縦枠３の第１見込面３２間の距離）よりも幾分（例えば＋１００ｍｍ）大きい寸法を備えており、パネル本体４の第２面部４１の幅方向両端部位が左右の縦枠３の第１見付面３０に対向するようになっている。パネル本体４は、想定水位（例えば、床面から４００ｍｍ）よりも大きい高さ寸法（例えば、５００ｍｍ）を備えている。図示の態様では、パネル本体４は、低背の２枚のパネル４Ａ、４Ｂを高さ方向に重ねて連結することで構成されている。パネル４Ａの下端とパネル４Ｂの上端との間には全幅に亘って防水テープ（図示せず）が設けてあり、パネル本体４の正面（高さ方向中央部位）からの水の浸入が防止されている。図示の態様では、パネル４Ａ、４Ｂの２部材を高さ方向に連結してパネル本体４を形成しているが、パネル本体４を一部材から一体的に形成してもよい。
【００１７】
図４、図５に示すように、パネル本体４の第２面部４１は、高さ方向の２箇所（各パネル４Ａ、４Ｂの高さ方向中間部位）において幅方向に亘って切り欠かれており横長の開口４１０が形成されている。開口４１０は上側垂直片４１１と下側垂直片４１２との間に形成されている。図９、図１０に示すように、パネル４Ａ、４Ｂの内部には、２つの水平状の中間壁４６、４７が高さ方向に間隔を存して形成されており、上下の中間壁４６、４７間に開口４１０が形成されている。上側垂直片４１１は上側の中間壁４６の第２面４１寄りの部位から垂下しており、下側垂直片４１２は下側の中間壁４７の第２面４１寄りの部位から立ち上がり形成されている。上側垂直片４１１及び下側垂直片４１２は、第２面部４１に対してパネル４Ａ、４Ｂの内方に位置している。なお、図示の態様では、パネル本体４の第２面部４１に開口４１０を形成しているが、第２面部４１は必ずしも開口を備えていなくてもよい。
【００１８】
パネル本体４の第２面部４１の幅方向両端部には、全高に亘って側方水密部材５が突設されており、側方水密部材５の下端面は、パネル本体４の下面４３を超えて下方に突出している。パネル本体４の下面４３には、全幅に亘って下方水密部材６が設けてある。側方水密部材５の下端面と下方水密部材６の下端部は略同一水平面上にある。パネル本体４には、幅方向両端の側方水密部材５及び下端の下方水密部材６の三方において水密部材が連続状に設けられている。側方水密部材５及び下方水密部材６は、弾性部材であり、止水パネルの取付時の押圧力である程度圧縮され、圧縮状態で縦枠３の第１見付面３０、床面ＦＬに密着して三方連続状の水密構造を提供する。本実施形態では、側方水密部材５、下方水密部材６は、シリコーンスポンジから形成されているが、その他、クロロプレンゴム、ＥＰＤＭ等から形成してもよい。
【００１９】
第２面部４１の幅方向両端部には、側方水密部材５の内側（開口幅方向端部から離間する側）に隣接して、側方水密部材５よりも低い突出寸法の当接部材７が突設されている。当接部材７は、前面、後面、左右の側面を備え、後面が第２面部４１に固定されたベース７０と、ベース７０の前面に設けたズレ止め部材（本実施形態では、ズレ止め緩衝ゴム）７１からなる。ズレ止め部材７１は、縦枠３の第１見付面３０に圧接ないし密着した時に、密着力ないし摩擦力によって、縦枠３の第１見付面３０に対する止水パネルの持ち上がりを防止する。ズレ止め部材７１は典型的には弾性を備えているが、当接部材７のベース７０は非弾性部材であり、止水パネルの取り付け時の押圧力によって圧縮されない。なお、当接部材７は、ベース７０の側面が側方水密部材５の隣接する立ち上がり面に接触することで、側方水密部材５の倒れ防止の役割も有する。当接部材７のベース７０は、例えば、螺子によってパネル本体４の第２面部４１に固定される。
【００２０】
止水パネルは、下方水密部材６を床面ＦＬに押し込んで圧接した状態で、建物開口部の室外側下方部位に取り付けられるが、下方への適切な押し込み量が必ずしも明確ではなく、下方水密部材６の押し込み量が不十分であると良好な防水性能が得られないおそれがある。本実施形態では、垂直押し込み量判定手段９によって、下方水密部材６の適切な圧縮程度を検知する。
【００２１】
図５に示すように、垂直押し込み量判定手段９は、垂直ロッド（中実でも中空でもよい）９０と、パネル本体４の第２面部４１の上下に設けられた上側ガイド部９１と、下側ガイド部９２と、を有する。上側ガイド部９１は左右の固定片９１０、９１１と、中央の中空状の凸部９１２と、から断面視ハット形状を有し、凸部９１２の中空部に垂直ロッド９０の上方部位を移動可能に受け入れるようになっている。下側ガイド部９２は左右の固定片９２０、９２１と、中央の中空状の凸部９２２と、から断面視ハット形状を有し、凸部９２２の中空部に垂直ロッド９０の下方部位を移動可能に受け入れるようになっている。
【００２２】
上側ガイド部９１の凸部９１２には縦長のガイド孔９１３が形成されており、垂直ロッド９０の上方部位の所定位置から水平方向に突設した突起（一つの態様では、螺子頭部から形成される）９００がガイド孔９１３の下縁に当接することで、垂直ロッド９０は上側ガイド部９１から上動可能に吊持されている。この状態から垂直ロッド９０が上動し、また、上動した状態から下動する時には、突起９００がガイド孔９１３に沿って案内されて上下動する。
【００２３】
図５、図１４（Ｂ）に示すように、下方水密部材６が押圧される前の状態では、垂直ロッド９０はガイド孔９１３の下縁から吊持されており、垂直ロッド９０の下端は、下方水密部材６の下端（パネル本体４の下端に設けた下方水密部材６を床面ＦＬに接地した場合には床面ＦＬ）から所定量だけ上方に離間した位置にあり、垂直ロッド９０の上端は、パネル本体４の上面４２と略同じ高さ位置にある。止水パネルの設置時に、パネル本体４を下方に押し付けて下方水密部材６を圧縮していくと、垂直ロッド９０の下端が床面ＦＬに当接して、垂直ロッド９０の上端部位がパネル本体４の上面４２よりも上方に突出する。下方水密部材６の適切な最低圧縮量（垂直距離）に基づいて、図１４（Ｂ）における垂直ロッド９０の下端と下方水密部材６の下端との距離を設定しておくことで、垂直ロッド９０の上端が不動部材として例示するパネル本体４の上面４２（側方水密部材５の上端、当接部材７の上端、上側ガイド部９１の上端）から突出したことを目視して下方水密部材６の押し込み量が十分であると判断する。あるいは、下方水密部材６の垂直方向の必要な圧縮量に対応して視認可能なマークを予め垂直ロッド９０の上端部位に設けておくことで、設置者はマークによって下方への押し込み量が十分であることを目視で認識することができる。
【００２４】
止水パネルは、パネル本体４に設けた固定手段８によって、建物開口部の下方部位に室外側から取り付けられる。図６、図７に示すように、固定手段８は、帯状のベルト８０と、ベルト８０の第１端部８００に設けた掛止部８１と、ベルト８０の第２端部８０１に設けた締め具８２と、からなる。本実施形態では、図４に示すように、止水パネルは、各左右端部に上下に離間して合計４つの固定手段８を備えている。なお、固定手段８は、少なくとも左右に１つずつあればよく、その数は４つに限定されない。
【００２５】
本実施形態では、固定手段８は、第２面部４１の横長の開口４１０に位置して設けてある。より具体的には、締め具８２の取付ベース８２０は、パネル本体４の幅方向端部から内側に離間した位置で開口４１０を跨ぐように第２面部４１に取り付けられており、第２端部が締め具８２に連結されたベルト８０は、締め具８２から開口４１０に沿ってパネル本体４の幅方向端部に向かって延びている。第２面部４１の幅方向端部に近い部位には、ベルト８０のガイド部（後述するガイドプレート１０のガイド片１００）が設けてある。締め具８２から開口４１０に沿って水平方向にパネル本体４の幅方向端部に向かって延びるベルト８０は、ベルトのガイド部によって折り曲げられて変向して第２面部４１から離間するように室内側に延びるようになっている。
【００２６】
本実施形態では、締め具８２は、いわゆるキャッチクリップであり、第２面部４１に固定された取付ベース８２０と、支軸を介して取付ベース８２０に回動可能に連結された回動操作レバー８２１と、一端が回動操作レバー８２１に連結され、他端がベルト８０の第２端部８０１に連結されたアーム８２２と、アーム８２２に外装したコイルスプリング８２３と、を備えており、回動操作レバー８２１は、第２面部４１に近接対向した第１姿勢と、第２面部４１に対して垂直状の第２姿勢との間で回動可能である。このようなキャッチクリップ自体は公知であるので、さらなる詳細な説明は省略する。回動操作レバー８２１を第２姿勢から第１姿勢とすることで、ベルト８０を引っ張って緊張状態で締め付けるようになっている。
【００２７】
本実施形態では、ガイド部は、当接部材７に隣接して、開口４１０を跨ぐように固定されたガイドプレート１０からなる。図１１に示すように、ガイドプレート１０は、第１面と第２面を有する方形状のプレートであり、第１面を室内側に向けて開口４１０を跨ぐように設けられ、締め具８２から離間する側（幅方向外側）の縁部には第２面部４１から離間するようにプレートから湾曲状に立ち上がるガイド片１００が形成されている。プレートには４つの螺子１２の螺子孔（雌螺子）１０１が形成されている。
【００２８】
ガイドプレート１０は取付プレート１１、取付用の螺子１２を用いて、パネル本体４の第２面４１の幅方向の所定位置に固定される。図１２に示すように、取付プレート１１は、第１面と第２面を有する方形状のプレートである。プレートには４つの螺子１２の挿通孔１１０が形成されている。ガイドプレート１０と取付プレート１１を対向させた時には、取付プレート１１の螺子孔１０１と取付プレート１１の挿通孔１１０が一致するようになっている。
【００２９】
ガイドプレート１０の高さ寸法は、開口４１０の縦幅寸法よりも大きく、上側の中間壁４６の下面と下側の中間壁４７の上面間の高さ寸法と略同じである。ガイドプレート１０は、開口４１０を跨ぐようにして、ガイドプレート１０の第１面の上側部位（上側の螺子孔１０１より上側の部位）、下側部位（下側の螺子孔１０１より下側の部位）を、上側垂直片４１１、下側垂直片４１２の後面（パネル本体４の第２面４１から遠い側の面）４１１１、４１２１に当接させて仮配置される。この時、ガイドプレート１０は下側の中間壁４７に載置した状態で仮配置されている。
【００３０】
取付プレート１１の高さ寸法は、開口４１０の縦幅寸法よりも大きく、上側の中間壁４６の下面と下側の中間壁４７の上面間の高さ寸法と略同じである。また、取付プレート１１の厚さは、第２面４１と上側垂直片４１１、下側垂直片４１２との段差に対応している。取付プレート１１は、第１面を室内側に向けて開口４１０を跨ぐようにして、取付プレート１１の第２面の上側部位（上側の挿通孔１１０よりも上側の部位）、下側部位（下側の挿通孔１１０よりも下側の部位）を、上側垂直片４１１、下側垂直片４１２の前面（パネル本体４の第２面４１に近い側の面）前面４１１０、４１２０に当接させて仮配置される。この時、ガイドプレート１０は下側の中間壁４７に載置した状態で仮配置されている。取付プレート１１の第１面とパネル本体４の第２面４１とは面一となっている。
【００３１】
ガイドプレート１０及び取付プレート１１の仮配置状態において、ガイドプレート１０の上側の２つの螺子孔１０１と取付プレート１１の上側の２つの挿通孔１１０は、上側垂直片４１１の下方、すなわち、開口４１０に位置して対向一致しており、ガイドプレート１０の下側の２つの螺子孔１０１と取付プレート１１の下側の２つの挿通孔１１０は、下側垂直片４１２の上方、すなわち、開口４１０に位置して対向一致している。
【００３２】
４本の螺子１２を取付プレート１１の挿通孔１１０からガイドプレート１０の螺子孔１０１に締め込むことで、ガイドプレート１０の上側部位と取付プレート１１の上側部位で上側垂直片４１１を前後から挟持し、ガイドプレート１０の下側部位と取付プレート１１の下側部位で下側垂直片４１２を前後から挟持し、螺子１２を締めることで、ガイドプレート１０がパネル本体４の第２面４１の幅方向の所定位置に固定される。
【００３３】
第２面部４１の幅方向の所定位置にガイドプレート１０が固定された状態において、第２面部４１の幅方向において、ガイド部（ガイドプレート１０のガイド片１００）の位置を変更したい場合には、螺子１２を緩めることで、ガイドプレート１０、取付プレート１１を上側垂直片４１１、下側垂直片４１２に沿って第２面部４１の幅方向に移動させることができ、所望の位置にガイドプレート１０、取付プレート１１を移動させた状態で螺子１２を締めることで、ガイドプレート１０を固定することができる。
【００３４】
ベルト８０は、締め具８２からパネル本体４の幅方向端部に向かって、横長の開口４１０に沿ってパネル本体４の幅方向に延び（第１部分８０Ａ）、ガイドプレート１０の裏側を通って、ガイド片１００に掛け回され、ガイド片１００によって、パネル本体４の第２面部４１から離れる方向に引き出されて延びる（第２部分８０Ｂ）。なお、ベルト８０の長さは現場において調整可能となっている。
【００３５】
ベルト８０の第１端部８００に連結された掛止部８１は、基端がベルト８０の第１端部８００に連結された第１片８１０と、第１片８１０の延びる方向に対して垂直状に延びる第２片８１１と、を備え、略Ｌ形状に形成されており、いわば引掛金具を構成している。第１片８１０、第２片８１１は共に所定幅を備えた板状体であり、第２片８１１の内面には、滑り止め要素（本実施形態では、滑り止めゴム）８１２が設けてある。図示の態様では、第１片８１０の傾斜状の先端部と第２片８１１の基端部からＶ形状の突出部Ｖが突成されており、掛止部８１の角部の内側には空間Ｓが形成されている。より具体的には、第２片８１１は、第１片８１０を通る面に対して第１側に延びており、第１片８１０の先端部は、前記面に対して第２側に傾斜しており、第２片８１１の基端部は、前記面を越えて第２側に延びており、第１片８１０の先端部と第２片８１１の基端部が接続されている。
【００３６】
図１５に示すように、止水パネルが取り付けられた状態において、掛止部８１の第２片８１１が滑り止め要素８１２を介して縦枠３の第２見付面３１に当接しており、縦枠３の第２見付面３１と第１見込面３２で形成される角部は空間Ｓに対向している。出願人が鋭意研究したところ、掛止部８１の角部の内側には空間Ｓを形成する形状の掛止部８１を採用することで、掛止部８１が縦枠３からより外れ難いことがわかった。また、角が出ているような縦枠（方立て）に対しても、空間Ｓによって掛止部８１と角との干渉を防止して良好に掛止することができる。なお、空間Ｓを備えた図示の掛止部８１は掛止部の例示態様であって、空間Ｓを備えないＬ形状の掛止部であってもよく、あるいは、第１片８１０と第２片８１１の角度を９０度よりも僅かに鋭角にして、第１片８１０が第１見込面３２に対してより密着するようにしてもよい。
【００３７】
本実施形態に係る止水パネルの取付について説明する。止水パネルのパネル本体４は、建物開口部の開口幅寸法よりもやや大きい幅寸法を備えており、建物開口部の室外側に位置して、左右の縦枠３間に当該縦枠３を跨ぐように左右の縦枠３間に取り付けられる。止水パネルは、下面４３の下方水密部材６を床面ＦＬに圧接した状態で、第２面部４１の幅方向両端部に設けた側方水密部材５を、建物開口部左右の縦枠３の第１見付面３０に当接させ（この状態では、当接部材７と第１見付面３０は離間している）、固定手段８の掛止部８１の第１片８１０を縦枠３の第１見込面３２に当接ないし近接させると共に、第２片８１１を縦枠３の第２見付面３１に当接させることで、当該掛止部８１を縦枠３の室内側の角部に掛止させた状態（この時、ベルト８０は緩んでいる）とし、その状態から、締め具８２の回動操作レバー８２１を回動して、ベルト８０を引っ張って緊張状態に締め付けて固定する。
【００３８】
掛止部８１が縦枠３の室内側の角部（第２見付面３１と見込面３２）に掛止した状態で、ベルト８０を引っ張ることで、縦枠３に対してパネル本体４が押圧され、側方水密部材５は縦枠３の第１見付面３０に圧接され、側方水密部材５が圧縮されることで、第２面部４１に側方水密部材５に隣接して設けた当接部材７のズレ止め部材７１が縦枠３の第１見付面３０に圧接される（図１５参照）。
【００３９】
固定手段８の締め具８２を締めた後で、さらに、パネル本体４を上から下方向に押し付けて下方水密部材６を圧縮することで、良好な水密性能が得られる。この時の下方水密部材６の適切な圧縮の程度は、垂直ロッド９０の上端部位に設けたマークで判断することができる。止水パネルを取り付けた状態において、当接部材７のズレ止め部材７１が縦枠３の第１見付面３０に圧接されることで、止水パネルの持ち上がりを可及的に防止し、止水パネルの下方水密部材５と床面ＦＬとの水密状態を維持する。
【００４０】
止水パネルを取り付けた状態において、ベルト８０は、ガイド部（ガイドプレート１０のガイド片１００）によって折り曲げられた状態（第２面部４１に沿って幅方向に延びる第１部分８０Ａと第２面部４１から離間するように室内側へ向かって延びる第２部分８０Ｂ）で緊張状態にあり、掛止部８１の第１片８１０は、第２部分８０Ｂと略直線状にある。
【００４１】
図１５に示すように、止水パネルが取り付けられた状態において、ベルト８０の第２部分８０Ｂ（第２面部４１から離間するように室内側へ向かって延びる）と掛止部８１の第１片８１０は直線状にあり、かつ、縦枠３の第１見込面３２に沿って延びている。より安定した掛止状態を得るためには、このように、第２部分８０Ｂと第１片８１０が縦枠３の第１見込面３２に沿って延びることが望ましいが、そのためには、ガイドプレート１０のガイド片１００と縦枠３の第１見込面３２との位置関係が重要である。
【００４２】
実際の現場では寸法誤差もあり、掛止部８１は左右両側に存在することから、そのためには、ガイドプレート１０のガイド片１００と縦枠３の第１見込面３２との位置関係が設計通りではない場合もある。例えば、図１６に示す態様では、ガイドプレート１０のガイド片１００の位置が、掛止部８１が掛止する縦枠３の室内側角部よりも所定量内側に位置しており、ベルト８０の第２部分８０Ｂは平面視において傾斜状に延びている。掛止部８１の第２片８１１と縦枠３の第２見付面３１が十分に密着していないことから、この掛止状態は不安定であり、場合によっては、掛止部８１と縦枠３との掛止状態が外れてしまうおそれがある。
【００４３】
この場合、ベルト８０の第２部分８０Ｂ及び掛止部８１の第１片８１０を、縦枠３の第１見込面３２に沿って延びるように配置するためには、縦枠３の第１見込面３２を延長した仮想面とパネル本体４の第２面部４１が交わる位置にベルト８０の第２部分８０Ｂの基端８００Ｂを位置させる必要がある。また、図示の例では、止水パネルの取付状態において、パネル本体４の第２面部４１と縦枠３の第１見込面３２は垂直状に延びているが、実際の現場では、図１６のように、縦枠３の第１見込面３２が第２面部４１に対して僅かに斜めに延びることも起こり得る。この場合も、ベルト８０の第２部分８０Ｂ及び掛止部８１の第１片８１０を、縦枠３の第１見込面３２に沿って延びるように配置するためには、縦枠３の第１見込面３２を延長した仮想面とパネル本体４の第２面部４１が交わる位置にベルト８０の第２部分８０Ｂの基端８００Ｂを位置させる必要がある。なお、ベルト８０の第２部分８０Ｂの基端８００Ｂが縦枠３の第１見込面３２よりも幅方向外側（当接部材７側）に寄っていてもよい（この場合は、掛止部８１と縦枠３との掛止状態が維持される）。
【００４４】
本発明では、ガイドプレート１０のガイド片１００の位置を、パネル本体４の幅方向において調節可能とすることで、固定手段８のベルト８０の第２部分８０Ｂの基端８００Ｂの位置を、パネル本体４の幅方向に調整可能となっており、現場における位置調整を可能としている。図１６に示す態様において、現場において、螺子１２を緩めて、ガイドプレート１０と取付プレート１１による上側垂直片４１１、下側垂直片４１２の挟持状態を解除し、ガイドプレート１０、取付プレート１１、螺子１２をセットで矢印方向に所定位置まで移動させ、螺子１２を締めることによって、ガイドプレート１０のガイド片１００の位置をパネル本体４の幅方向の端部側に位置調整し、図１５に示す態様を得ることができる。このように、固定手段８のベルト８０の第２部分８０Ｂの基端８００Ｂの位置を、パネル本体４の幅方向に調整可能とすることで、ベルト８０の第２部分８０Ｂの第１部分８０Ａに対する引き出し方向（第１部分８０Ａないし第２面部４１に対する第２部分８０Ｂの角度）が調整可能となっている。
【００４５】
ガイドプレート１０のガイド片１００の位置を調整する構成はこのものには限定されない。図１３にガイドプレートの他の取付態様を示す。図１３（Ａ）では、ガイドプレート１０´の上側部位、下側部位は、それぞれ、上側垂直片４１１、下側垂直片４１２の後面４１１１、４１２１（図９参照）に当接させて螺子１２´で固定されている。図１３（Ｂ）では、ガイドプレート１０´´の上側部位、下側部位は、それぞれ、上側垂直片４１１、下側垂直片４１２の前面４１１０、４１２０（図９参照）に当接させて螺子１２´´で固定されている。すなわち、開口４１０を跨ぐようにガイドプレート１０´、１０´´が設けられており、ガイド部１００´、１００´´は、ガイドプレート１０´、１０´´の側方水密部材に近い側に形成されており、ベルト８０の第１部分８０Ａはガイドプレート１０´、１０´´の裏側を通り、ガイド部１００´、１００´´に案内されて第２部分８０Ｂとして引き出される。上側垂直片４１１、下側垂直片４１２あるいは／およびガイドプレート１０´あるいは１０´´に横長孔（図示せず）を形成することで、横長孔の範囲内でガイドプレート１０´、１０´´（ガイド片１００´、１００´´）の取付位置を可変とすることができる。また、図１３（Ｂ）に示すものにおいて、上側垂直片４１１、下側垂直片４１２の後面４１１１、４１２１に取付プレート（図示せず）を配置し、ガイドプレート１０´´と取付プレート（図示せず）で上側垂直片４１１、下側垂直片４１２を挟んで固定し（図９の実施形態の取付構造参照）、開口４１０に位置して前側のガイドプレート１０´´と取付プレート（図示せず）の間でベルト８０の第１部分８０Ａが延びるようにしてもよい。
【符号の説明】
【００４６】
３  縦枠
３０  第１見付面（室外側見付面）
３１  第２見付面（室内側見付面）
３２  第１見込面（見込面）
４  パネル本体
４０  第１面部
４１  第２面部
４２  上面
４３  下面
４４  側面
４１０  開口
４１１  上側垂直片
４１１０  前面
４１１１  後面
４１２  下側垂直片
４１２０  前面
４１２１  後面
５  側方水密部材
６  下方水密部材
８  固定手段
８０  ベルト（可撓性長尺部）
８０Ａ  第１部分
８０Ｂ  第２部分
８００Ｂ  基端
８１  掛止部
８１０  第１片
８１１  第２片
８２  締め具
１０  ガイドプレート
１００  ガイド片（ガイド部）
１１  取付プレート
ＦＬ  床面
【図１】
2018071116.tif 000003
【図２】
2018071116.tif 000004
【図３】
2018071116.tif 000005
【図４】
2018071116.tif 000006
【図５】
2018071116.tif 000007
【図６】
2018071116.tif 000008
【図７】
2018071116.tif 000009
【図８】
2018071116.tif 000010
【図９】
2018071116.tif 000011
【図１０】
2018071116.tif 000012
【図１１】
2018071116.tif 000013
【図１２】
2018071116.tif 000014
【図１３】
2018071116.tif 000015
【図１４】
2018071116.tif 000016
【図１５】
2018071116.tif 000017
【図１６】
2018071116.tif 000018